(57)【要約】      （修正有）【課題】イオン液体の粘度を低減させ、ケトオキシムの転化率とアミドの選択率を高めるアミド製造用触媒組成物およびアミドの製造方法を提供する。【解決手段】アミドの製造に用いられる触媒組成物は、下記式(I)に示すカチオンと、１種又は多種の無機酸根、有機酸根、又はこれらからなる群のアニオンを含むアミノ酸イオン液体と、ブレンステッド酸とを含有し、アミノ酸イオン液体中、前記カチオンとアニオンの数は前記アミノ酸イオン液体を電気的に中性にするものである。前記触媒組成物の存在下においてアミドを製造する。式(I)2011072991.tif 000012【選択図】なし【特許請求の範囲】
【請求項１】
下記式(Ｉ)に示すカチオンと、１種又は多種の無機酸根、有機酸根、又はこれらからなる群のアニオンを含むアミノ酸イオン液体であって、該アミノ酸イオン液体中、前記カチオンとアニオンの数は、該アミノ酸イオン液体を電気的に中性にするものであるアミノ酸イオン液体と、ブレンステッド酸とを含有することを特徴とするアミドの製造に用いられる触媒組成物；
【化１】
2011072991.tif 000010
［式(Ｉ)の中、R1は水素基、シクロイミノ基、又はC1-8アルキル基を示し、その中、前記C1-8アルキル基は、無置換、又はヒドロキシル基(-OH)、カルボキシル基(-COOH)、グアニジノ基(NH2C(=NH)NH-)、アミノ基(-NH2)、アミド基(-CONH2)、エステル基(-COOR、その中、RはC1-8アルキル基を示す)、スルホン酸基(-SO3H)、塩化スルフィニル基(ClSO-)、ヒドロキシルフェニル基、C1-8アルキルチオ基、メルカプト基(-SH)、C6-10アリール基、又は5〜10員環状へテロアリール基によって置換されても良く、
R2とR3は、それぞれ独立して水素又はC1-8アルキル基を示し、その中、前記C1-8アルキル基は、無置換、又はヒドロキシル基(-OH)、カルボキシル基(-COOH)、グアニジノ基(NH2C(=NH)NH-)、アミノ基(-NH2)、アミド基(-CONH2)、エステル基(-COOR)、スルホン酸基(-SO3H)、塩化スルフィニル基(ClSO-)、オキソ基(=O)、ヒドロキシルフェニル基、C1-8アルキルチオ基、メルカプト基(-SH)、C6-10アリール基、又は5〜10員環状ヘテロアリール基によって置換されても良い］。
【請求項２】
前記アミノ酸イオン液体と前記ブレンステッド酸とのモル比は、１：１０〜１０：１の範囲内にあることを特徴とする請求項１に記載の触媒組成物。
【請求項３】
前記アミノ酸イオン液体と前記ブレンステッド酸とのモル比は、１：５〜５：１の範囲内にあることを特徴とする請求項２に記載の触媒組成物。
【請求項４】
前記R1は、カルボキシル基(-COOH)、グアニジノ基(NH2C(=NH)NH-)、アミノ基(-NH2)、アミド基(-CONH2)、又はヒドロキシルフェニル基によって置換されたC1-8アルキル基を示し、且つ前記R2とR3はそれぞれ独立してC1-8アルキル基を示すことを特徴とする請求項２に記載の触媒組成物。
【請求項５】
前記アニオンは、１種又は多種の硫酸根、メチルスルホン酸根、トリフルオル酢酸根、六フルオル燐酸根、フルオル硼酸根、又はこれらからなる群であることを特徴とする請求項４に記載の触媒組成物。
【請求項６】
前記アミノ酸イオン液体は、硫酸グリシン酸系イオン液体、硫酸イソロイシン系イオン液体、硫酸アルギニン系イオン液体、硫酸グルタミン酸系イオン液体、硫酸チロシン系イオン液体、硫酸アスパラギン酸系イオン液体、硫酸リジン系イオン液体、硫酸スレオニン系イオン液体、硫酸フェニルアラニン系イオン液体、硫酸セリン系イオン液体、又はこれらからなる群の硫酸アミノ酸系イオン液体であることを特徴とする請求項５に記載の触媒組成物。
【請求項７】
前記アミノ酸イオン液体は、硫酸イソロイシン系イオン液体、N,N-ジメチルアスパラギン酸硫酸塩、N-メチルグルタミン酸硫酸塩、N-メチルアスパラギン酸硫酸塩、N,N-ジメチルグルタミン酸硫酸塩、又はこれらからなる群であることを特徴とする請求項６に記載の触媒組成物。
【請求項８】
前記ブレンステッド酸は、硫酸、燐酸、酢酸、メチルスルホン酸、トリフルオルメチルスルホン酸、トリフルオル酢酸、六フルオル燐酸、フルオル硼酸、及びこれらの組合わせからなる群より１種又は多種選ばれてなることを特徴とする請求項２又は６に記載の触媒組成物。
【請求項９】
下記式(Ｉ)に示すカチオンと、１種又は多種の無機酸根、有機酸根、又はこれらからなる群のアニオンを含むアミノ酸イオン液体であって、該アミノ酸イオン液体中、前記カチオンとアニオンの数は、該アミノ酸イオン液体を電気的に中性にするものであるアミノ酸イオン液体と、ブレンステッド酸との存在下において、ケトオキシムのベックマン転位反応を促進することでアミドを製造することを特徴とするアミドの製造方法；
【化２】
2011072991.tif 000011
［式(Ｉ)の中、R1は水素基、シクロイミノ基、又はC1-8アルキル基を示し、その中、前記C1-8アルキル基は、無置換、又はヒドロキシル基(-OH)、カルボキシル基(-COOH)、グアニジノ基(NH2C(=NH)NH-)、アミノ基(-NH2)、アミド基(-CONH2)、エステル基(-COOR、その中、RはC1-8アルキル基を示す)、スルホン酸基(-SO3H)、塩化スルフィニル基(ClSO-)、ヒドロキシルフェニル基、C1-8アルキルチオ基、メルカプト基(-SH)、C6-10アリール基、又は５〜１０員環状へテロアリール基によって置換されても良く、
R2とR3は、それぞれ独立して水素基又はC1-8アルキル基を示し、その中、前記C1-8アルキル基は、無置換、又はヒドロキシル基(-OH)、カルボキシル基(-COOH)、グアニジノ基(NH2C(=NH)NH-)、アミノ基(-NH2)、アミド基(-CONH2)、エステル基(-COOR)、スルホン酸基(-SO3H)、塩化スルフィニル基(ClSO-)、オキソ基(=O)、ヒドロキシフェニル基、C1-8アルキルチオ基、メルカプト基(-SH)、C6-10アリール基、又は５〜１０員環状へテロアリール基によって置換されても良い］。
【請求項１０】
前記R1は、カルボキシル基(-COOH)、グアニジノ基(NH2C(=NH)NH-)、アミノ基(-NH2)、アミド基(-CONH2)、又はヒドロキシルフェニル基によって置換されたC1-8アルキル基を示し、且つ、前記R2とR3は、それぞれ独立してC1-8アルキル基を示すことを特徴とする請求項９に記載の方法。
【請求項１１】
前記アニオンは、１種又は多種の硫酸根、メチルスルホン酸根、トリフルオル酢酸根、六フルオル燐酸根、フルオル硼酸根、又はこれらからなる群であることを特徴とする請求項１０に記載の方法。
【請求項１２】
前記アミノ酸イオン液体は、硫酸グリシン系イオン液体、硫酸イソロイシン系イオン液体、硫酸アルギニン系イオン液体、硫酸グルタミン酸系イオン液体、硫酸チロシン系イオン液体、硫酸アスパラギン酸系イオン液体、硫酸リジン系イオン液体、硫酸スレオニン系イオン液体、硫酸フェニルアラニン系イオン液体、硫酸セリン系イオン液体、又はこれらからなる群の硫酸アミノ酸系イオン液体であることを特徴とする請求項１１に記載の方法。
【請求項１３】
前記アミノ酸イオン液体は、硫酸イソロイシン系イオン液体、N,N-ジメチルアスパラギン酸硫酸塩、N-メチルグルタミン酸硫酸塩、N-メチルアスパラギン酸硫酸塩、N,N-ジメチルグルタミン酸硫酸塩、又はこれらからなる群であることを特徴とする請求項１２に記載の方法。
【請求項１４】
前記ブレンステッド酸は、硫酸、燐酸、酢酸、メチルスルホン酸、トリフルオルメチルスルホン酸、トリフルオル酢酸、六フルオル燐酸、フルオル硼酸、及びこれらの組合わせからなる群より１種又は多種選ばれてなることを特徴とする請求項９又は１２に記載の方法。
【請求項１５】
前記アミノ酸イオン液体と前記ブレンステッド酸とのモル比は、１：１０〜１０：１の範囲内にあることを特徴とする請求項９に記載の方法。
【請求項１６】
前記アミノ酸イオン液体と前記ブレンステッド酸とのモル比は、１：５〜５：１の範囲内にあることを特徴とする請求項１５に記載の方法。
【請求項１７】
前記アミノ酸イオン液体と前記ブレンステッド酸との合計モル数と前記ケトオキシムのモル数とのモル比は、１：１０〜１０：１の範囲内にあることを特徴とする請求項１５に記載の方法。
【請求項１８】
前記アミノ酸イオン液体と前記ブレンステッド酸との合計モル数と前記ケトオキシムのモル数とのモル比は、１：５〜５：１の範囲内にあることを特徴とする請求項１７に記載の方法。
【請求項１９】
前記ケトオキシムは、アセトンオキシム、ブタノンオキシム、ベンゾフェノンオキシム、アセトフェノンオキシム、シクロペンタノンオキシム、シクロヘキサノンオキシム、シクロヘプタノンオキシム、シクロオクタノンオキシム、又はシクロドデカノンオキシムであることを特徴とする請求項９又は１７に記載の方法。
【請求項２０】
前記ベックマン転位反応は６０〜１５０℃で行われることを特徴とする請求項９又は１７に記載の方法。
【請求項２１】
前記ベックマン転位反応は、８０〜１３０℃で行われることを特徴とする請求項２０に記載の方法。
【請求項２２】
前記ベックマン転位反応の反応時間は、０．１〜１０時間であることを特徴とする請求項９に記載の方法。
【発明の詳細な説明】
【技術分野】
【０００１】
本発明は、アミドの製造に用いられる触媒組成物及びアミドの製造方法に関し、特に、イオン液体及びブレンステッド酸（Bronsted acid）の触媒組成物の存在下で、ケトオキシムよりアミドを製造する方法に関する。
【背景技術】
【０００２】
カプロラクタムはナイロン６繊維やフィルムの重要な原材料である。このカプロラクタムを生産する上で最も重要な反応工程として、シクロヘキサノンオキシムのベックマン転位（Beckmann rearrangement）反応が挙げられる。従来の転位反応プロセスでは、触媒として発煙硫酸(Oleum)が利用され、液相中でシクロヘキサノンオキシムのベックマン転位反応を行うことで液相中でカプロラクタム硫酸塩を生成し、更に、アンモニア水を用いて中和することによりカプロラクタムを得ている。一連の反応において、シクロヘキサノンオキシムの転化率はほぼ100%で、カプロラクタムの選択率も99％と高い値を示すが、一連の反応において、価値の低い硫酸アンモニウムが大量に発生するだけでなく、触媒として用いる濃硫酸が生産設備全体の腐蝕を招き、環境を汚染するなど問題となっている。昨今、新規なカプロラクタムに関する生産技術の研究開発においては、専ら副生成物である硫酸アンモニウムの生成を減少させる又は回避することを目指して取り組みが進められている。また、気相反応に比べ、液相転位反応は、反応条件が温和で、設備に対する要求が高くないなどの利点があり、既存設備の改良に有利になる。それ故、液相転位反応の研究に関しては、国内外を問わず多くの成果が挙げられ、相当な進展を遂げている。例えば、日本の住友化学株式会社による特許文献１においては、スルホン酸官能基を有するイオン液体を反応の触媒とすることで、カプロラクタムの選択率が99%に達することが記載されている。又、中国科学院蘭州化学物理研究所による特許文献２においても、塩化スルフリル官能基を有するイオン液体を触媒とすることで、カプロラクタムの選択率が97.2%に達することが記載されている。又、オランダのDSM社による特許文献３においても、硫酸根をアニオンのイオン液体として転位反応を行うことで、アミドの選択率が99%になることが記載されている。
【０００３】
しかし、上記の特許においては、酸性イオン液体を用いて転位反応を促進するに過ぎず、転位反応後の生成物であるカプロラクタムとイオン液体とが化学結合する際、生成物を速やかに効率的に分離しなければ、転位反応後のイオン液体の粘度が非常に高くなり、それによってパイプ設備が詰まり、製造工程の商業化を図る上で不利となる問題があった。
【先行技術文献】
【特許文献】
【０００４】
【特許文献１】中国特許1852898A号公報
【特許文献２】中国特許1919834号公報
【特許文献３】WO2008/145312A1号公報
【発明の概要】
【発明が解決しようとする課題】
【０００５】
上記の問題に鑑み、イオン液体の粘度を効率的に低減し、且つ、ケトオキシムの高い転化率及びアミドの高い選択率を有する、ケトオキシムよりアミドを製造する際に触媒として用いられる触媒組成物の実用化が強く求められている。
【課題を解決するための手段】
【０００６】
本発明は以下の手段により上記の課題を解決する。
即ち、本発明は、アミドの製造に用いられる触媒組成物を提供するものであり、下記式(Ｉ)のカチオンと、一種又は多種の無機酸根、有機酸根又はこれらからなる群のアニオンを含むアミノ酸イオン液体と、ブレンステッド酸とを含有する。
【化１】
2011072991.tif 000002
【０００７】
式(I)の中、R1 は水素基、シクロイミノ基、又はC1-8アルキル基を示し、その中、前記C1-8アルキル基は無置換、又はヒドロキシル基(-OH)、カルボキシル基(-COOH)、グアニジノ基(NH2C(=NH)NH-)、アミノ基(-NH2)、アミド基(-CONH2)、エステル基(-COOR、その中、RはC1-8アルキル基を示す)、スルホン酸基(-SO3H)、塩化スルフィニル基(ClSO-)、ヒドロキシルフェニル基、C1-8アルキルチオ基、メルカプト基(-SH)、C6-10アリール基又は5〜10員環状ヘテロアリール基によって置換されても良い。
【０００８】
R2とR3 は、それぞれ独立して水素基、又はC1-8アルキル基を示し、その中、前記C1-8アルキル基は、無置換、又はヒドロキシル基(-OH)、カルボキシル基(-COOH)、グアニジノ基(NH2C(=NH)NH-)、アミノ基(-NH2)、アミド基(-CONH2)、エステル基(-COOR)、スルホン酸基(-SO3H)、塩化スルフィニル基(ClSO-)、オキソ基(=O)、ヒドロキシルフェニル基、C1-8アルキルチオ基、メルカプト基(-SH)、C6-10アリール基、又は5〜10員環状ヘテロアリール基によって置換されても良い。
【０００９】
アミノ酸イオン液体中、前記カチオンとアニオンの数は、アミノ酸イオン液体を電気的に中性にするものである。
又、本発明は、下記式(Ｉ)に示すカチオンと、一種又は多種の無機酸根、有機酸根、又はこれらからなる群のアニオンを含むアミノ酸イオン液体と、ブレンステッド酸との存在下において、ケトオキシムのベックマン転位反応を促進することでアミドを製造する方法も提供する。
【化２】
2011072991.tif 000003
【００１０】
式(Ｉ)の中、R1は水素基、シクロイミノ基、又はC1-8アルキル基を示し、その中、前記C1-8アルキル基は無置換、又はヒドロキシル基(-OH)、カルボキシル基、(-COOH)、グアニジノ基(NH2C(=NH)NH-)、アミノ基(-NH2)、アミド基(-CONH2)、エステル基(-COOR、その中RはC1-8アルキル基を示す)、スルホン酸基(-SO3H)、塩化スルフィニル基(ClSO-)、ヒドロキシルフェニル基、C1-8アルキルチオ基、メルカプト基(-SH)、C6-10アリール基、又は5〜10員環状ヘテロアリール基によって置換されても良い。
【００１１】
R2とR3 は、それぞれ独立して水素基、またはC1-8アルキル基を示し、その中、前記C1-8アルキル基は無置換、又はヒドロキシル基(-OH)、カルボキシル基(-COOH)、グアニジノ基(NH2C(=NH)NH-)、アミノ基(-NH2)、アミド基(-CONH2)、エステル基(-COOR)、スルホン酸基(-SO3H)、塩化スルフィニル基(ClSO-)、オキソ基(=O)、ヒドロキシルフェニル基、C1-8アルキルチオ基、メルカプト基(-SH)、C6-10アリール基、又は5〜10員環状ヘテロアリール基によって置換されても良い。アミノ酸イオン液体中、前記カチオンとアニオンの数は、前記アミノ酸イオン液体を電気的に中性にするものである。
【発明の効果】
【００１２】
従来の酸性イオン液体のみを反応触媒組成物として用いるアミドの製造方法に比べ、本発明の製造方法は、イオン液体とブレンステッド酸とを触媒組成物としてアミドを製造しているので、イオン液体の粘度を低減し、反応活性を高める利点を有し、更に、ケトオキシムのリアレンジメント転化率とアミド選択率が高いため、大規模な工業的生産に極めて有用である。
【発明を実施するための形態】
【００１３】
以下本発明を実施するための最良の形態について具体的に説明するが、本発明はこれらに限定されるものではない。本発明の技術分野に精通する者は、本発明の明細書に開示された内容により容易に本発明の利点と効果を理解できる。又、本発明はその他の実施方法により実施又は応用されることも可能であり、本明細書中の各細部についても異なる観点と応用に基づき、本発明の主旨を逸脱しない範囲において、様々な修正と変更を行うことが可能であり、そうして修正や変更も本特許請求の範囲に含まれる。
【００１４】
本発明は、下記式(Ｉ)に示すカチオンと、1種又は多種の無機酸根、有機酸根、又はこれらからなる群のアニオンを含むアミノ酸イオン液体と、ブレンステッド酸とを含むアミドの製造に用いられる触媒組成物を提供するものである。
【化３】
2011072991.tif 000004
【００１５】
式(Ｉ)の中、R1は水素基、シクロイミノ基、又はC1-8アルキル基を示し、その中、前記C1-8アルキル基は無置換、又はヒドロキシル基(-OH)、カルボキシル基、(-COOH)、グアニジノ基(NH2C(=NH)NH-)、アミノ基(-NH2)、アミド基(-CONH2)、エステル基(-COOR、その中RはC1-8アルキル基を示す)、スルホン酸基(-SO3H)、塩化スルフィニル基(ClSO-)、ヒドロキシルフェニル基、C1-8アルキルチオ基、メルカプト基(-SH)、C6-10アリール基、又は5〜10員環状ヘテロアリール基によって置換されても良い。
【００１６】
R2とR3 は、それぞれ独立して水素基、又はC1-8アルキル基を示し、その中、前記C1-8アルキル基は無置換、又はヒドロキシル基(-OH)、カルボキシル基(-COOH)、グアニジノ基(NH2C(=NH)NH-)、アミノ基(-NH2)、アミド基(-CONH2)、エステル基(-COOR)、スルホン酸基(-SO3H)、塩化スルフィニル基(ClSO-)、オキソ基(=O)、ヒドロキシルフェニル基、C1-8アルキルチオ基、メルカプト基(-SH)、C6-10アリール基、又は5〜10員環状ヘテロアリール基によって置換されても良い。
【００１７】
具体的な実施例において、前記R1はカルボキシル基(-COOH)、グアニジノ基(NH2C(=NH)NH-)、アミノ基(-NH2)、アミド基(-CONH2)、又はヒドロキシルフェニル基により置換されるC1-8アルキル基を示し、前記R2とR3はそれぞれ独立してC1-8アルキル基を示す。
【００１８】
本発明中、C1-8アルキル基とは、直鎖状、分枝鎖状、又は環状アルキル基を示し、前記C1-8アルキル基の具体例としては、例えば、メチル基、エチル基、プロピル基、イソプロピル基、ブチル基、S-ブチル基、ペンチル基、ヘキシル基、シクロヘキシル基などが挙げられるが、これらに限定されるものではない。その中、メチル基、エチル基、プロピル基、ブチル基とペンチル基がより好ましい。
【００１９】
本発明のより好ましい具体的な実施例において、前記アミノ酸イオン液体としては、硫酸グリシン系イオン液体、硫酸イソロイシン系イオン液体、硫酸アルギニン系イオン液体、硫酸グルタミン酸系イオン液体、硫酸チロシン系イオン液体、硫酸アスパラギン酸系イオン液体、硫酸リジン系イオン液体、硫酸スレオニン系イオン液体、硫酸フェニルアラニン系イオン液体、硫酸セリン系イオン液体、又はこれらの群よりなる硫酸アミノ酸系イオン液体があげられる。本発明のアミノ酸系イオン液体としては、N,N-ジメチルグルタミン酸硫酸塩、N,N-ジメチルアスパラギン酸硫酸塩、N-メチルグルタミン酸硫酸塩及びN-メチルアスパラギン酸硫酸塩がより好ましい。この他、本発明の方法においては、1種又は多種のアミノ酸イオン液体を使用することができる。具体例を挙げると、より好ましい実施例において、前記アミノ酸イオン液体としては、N,N-ジメチルアスパラギン酸硫酸塩、N-ジメチルグルタミン酸硫酸塩、N-メチルアスパラギン酸硫酸塩、N,N-ジメチルグルタミン酸硫酸塩、又はこれらよりなる群から、N,N-ジメチルアスパラギン酸硫酸塩とN-ジメチルグルタミン酸硫酸塩の組み合わせ、又はN,N-ジメチルアスパラギン酸硫酸塩、N-メチルグルタミン酸硫酸塩、及びN-メチルアスパラギン酸硫酸塩の組み合わせを選択して使用することができる。
【００２０】
本発明の触媒組成物中、前記アニオンは１種又は多種の硫酸根、メチルスルホン酸根、トリフルオル酢酸根、六フルオル燐酸根、フルオル硼酸根、又はこれらの群からなるものである。その中、硫酸根がより好ましい。
【００２１】
通常、前記アミノ酸イオン液体とブレンステッド酸とのモル比は1:10〜10:1の範囲内にあり、好ましくは1:5〜5:1の範囲内にあり、更に好ましくは2:1〜1:2の範囲内にある。
【００２２】
本発明は、下記式(I)に示すカチオンと、1種又は多種の無機酸根、有機酸根、又はこれらからなる群のアニオンを含むアミノ酸イオン液体と、ブレンステッド酸の存在下において、ケトオキシムのベックマン転位反応を促進することで、アミドを製造する方法も提供する：
【化４】
2011072991.tif 000005
【００２３】
式(I)の中、R1は水素基、シクロイミノ基、又はC1-8アルキル基を示し、その中、前記C1-8アルキル基は無置換、又はヒドロキシル基(-OH)、カルボキシル基(-COOH)、グアニジノ基(NH2C(=NH)NH-)、アミノ基(-NH2)、アミド基(-CONH2)、エステル基(-COOR、その中、RはC1-8アルキル基を示す)、スルホン酸基(-SO3H)、塩化スルフィニル基(ClSO-)、ヒドロキシルフェニル基、C1-8アルキルチオ基、メルカプト基(-SH)、C6-10アリール基、又は5〜10員環状ヘテロアリール基によって置換しても良い。
【００２４】
R2とR3 はそれぞれ独立して水素基、又はC1-8アルキル基を示し、その中、前記C1-8アルキル基は無置換、又はヒドロキシル基(-OH)、カルボキシル基(-COOH)、グアニジノ基(NH2C(=NH)NH-)、アミノ基(-NH2)、アミド基(-CONH2)、エステル基(-COOR)、スルホン酸基(-SO3H)、塩化スルフィニル基(ClSO-)、オキソ基(=O) 、ヒドロキシルフェニル基、C1-8アルキルチオ基、メルカプト基(-SH)、C6-10アリール基、又は5〜10員環状へテロアリール基で置換しても良い。アミノ酸イオン液体中、前記カチオンとアニオンの数は、前記アミノ酸イオン液体を電気的に中性にするものである。
【００２５】
より好ましい具体的な実施例において、R1はカルボキシル基(-COOH)、グアニジノ基(NH2C(=NH)NH-)、アミノ基(-NH2)、アミド基(-CONH2)、又はヒドロキシルフェニル基などにより置換されたC1-8アルキル基を示し、且つ、前記R2とR3はそれぞれ独立してC1-8アルキル基を示す。
【００２６】
本発明のアミドの製造方法において、前記アニオンは1種又は多種の硫酸根、メチルスルホン酸根、トリフルオル酢酸根、六フルオル燐酸根、フルオル硼酸根、又はこれらからなる群を示す。本発明の具体的実施例のひとつにおいて、前記アニオンは硫酸根である。
【００２７】
本発明において、ブレンステッド酸は特に限定されず、通常、硫酸、燐酸、酢酸、メチルスルホン酸、トリフルオルメチルスルホン酸、トリフルオル酢酸、六フルオル燐酸又はフルオル硼酸などが使用されるが、これらに限定されるものではない。この他、1種の酸を選び使用しても良く、又はこれらの酸を混合して用いても良い。それ故、本発明においては、ブレンステッド酸として、硫酸、燐酸、酢酸、メチルスルホン酸、トリフルオルメチルスルホン酸、トリフルオル酢酸、六フルオル燐酸、フルオル硼酸、及びこれらからなる群より１種又は多種を選び使用する。本発明のより好ましい具体的実施例のひとつにおいては、硫酸を前記ブレンステッド酸として使用する。
【００２８】
本発明の製造方法に係る実施例において、通常、前記アミノ酸イオン液体とブレンステッド酸とのモル比は1:10〜10:1の範囲内にあり、好ましくは1:5〜5:1の範囲内であり、更に好ましくは2:1〜1:2の範囲内である。
【００２９】
又、前記アミノ酸イオン液体とブレンステッド酸の合計モル数と前記ケトオキシムのモル数とのモル比は1:10〜10:1の範囲内にあり、より好ましくは1:5〜5:1の範囲内にあり、更に好ましくは3:1〜1:3の範囲内にある。本発明のアミドの製造に係る実施例において、ケトオキシムの転換率はほぼ100%であり、カプロラクタムの選択率も98.8％に達する。それ故、本発明の触媒組成物の存在下、ケトオキシムのベックマン転位反応によるアミドの合成は、極めて優れた反応活性を有することが明らかである。
【００３０】
本発明のアミドの製造方法において、反応温度は60〜150℃であり、より好ましくは80〜130℃であり、最も好ましくは90〜120℃である。且つ、反応経過時間は0.1〜10時間であり、より好ましくは0.25〜4時間であり、最も好ましくは0.5〜1時間である。
【００３１】
本発明の具体的な実施例のひとつにおいて、前記ケトオキシムはシクロヘキサノンオキシムであるが、本発明のアミドの製造の際に使用するケトオキシムは、アセトンオキシム、ブタノンオキシム、ベンゾフェノンオキシム、アセトフェノンオキシム、シクロペンタノンオキシム、シクロヘキサノンオキシム、シクロヘプタノンオキシム、シクロオクタノンオキシム、又はシクロドデカノンオキシムなどが含まれる。
【００３２】
本発明の方法において、前記アミノ酸イオン液体としては、硫酸グリシン系イオン液体、硫酸イソロイシン系イオン液体、硫酸アルギニン系イオン液体、硫酸グルタミン酸系イオン液体、硫酸チロシン系イオン液体、硫酸アスパラギン酸系イオン液体、硫酸リジン系イオン液体、硫酸スレオニン系イオン液体、硫酸フェニルアラニン系イオン液体、硫酸セリン系イオン液体、又はこれらよりなる群などが挙げられる。より好ましい本発明のアミノ酸イオン液体としては、硫酸イソロイシン系イオン液体、N,N-ジメチルグルタミン酸硫酸塩、N,N-ジメチルアスパラギン酸硫酸塩、N-メチルグルタミン酸硫酸塩、N-メチルアスパラギン酸硫酸塩が用いられる。本発明の具体的な実施例のひとつにおいて、硫酸グルタミン酸系イオン液体が前記アミノ酸イオン液体として用いられている。又、１種又は多種のアミノ酸イオン液体を使用しても良い。
【００３３】
以下、特定の具体的な実施例により本発明の特長と効果について更に詳しく説明するが、本発明はこれらに限定されるものではない。
【実施例】
【００３４】
以下に本発明の実施例を示すが、本発明は、これら実施例に限定されるものではない。ケトオキシムとアミドは、ガスクロマトグラフィにより分析し、ケトオキシムの転換率とアミドの選択率は、下記式により計算される：
転換率(%)=[反応したケトオキシムのモル数／最初のケトオキシムのモル数(%)]×100 %
選択率(%) =[得られたアミドのモル数／反応したケトオキシムのモル数] ×100 %
【００３５】
実施例1〜5
実施例1〜5においては、250ml容量の三つ口丸底フラスコ内に、0.01モルのN,N-ジメチルグルタミン酸硫酸系イオン液体と0.01モルの硫酸を反応触媒組成物として加え、次に50mlのトルエンを溶剤として加え、マグネチックスターラーを用いて攪拌し、110℃まで昇温した後、更に指定量のシクロヘキサノンオキシムを加え、イオン液体とブレンステッド酸との合計モル数とケトオキシムのモル数とのモル比を5/1〜5/5の順に調整し、0.5時間反応をした後、ガスクロマトグラフィにより反応物の転化率と生成物の選択率を測定した。その結果を下記表1に示す。
【００３６】
【表１】
2011072991.tif 000006
【００３７】
実施例6〜10
実施例6〜10においては、250ml容量の三ッ口丸底フラスコ中に、0.01モルの硫酸グルタミン酸系イオン液体と指定量の硫酸を反応触媒組成物として加え、次に、50ｍｌのトルエンを溶剤として加え、マグネチックスターラーを用いて攪拌し、110℃までに昇温した後、更にシクロヘキサノンオキシムを加え、イオン液体とブレンステッド酸との合計モル数とケトオキシムのモル数とのモル比を5/2として、0.5時間反応を行った後、ガスクロマトグラフィにより反応物の転化率と生成物の選択率を測定した。その結果を下記表２に示す。
【００３８】
【表２】
2011072991.tif 000007
【００３９】
比較例1〜5においては、250ｍｌ容量の三ッ口丸底フラスコ内に、0.01モルの硫酸グルタミン酸系イオン液体だけを反応触媒組成物として加え、次に50mlのトルエンを溶剤として加え、マグネチックスターラーを用いて攪拌し、110℃まで昇温した後、更に指定量のシクロヘキサノンオキシムを加え、イオン液体とケトオキシムのモル比をそれぞれ5/1〜5/5の順に調整し、0.5時間反応を続けた後、ガスクロマトグラフィにより反応物の転化率と生成物の選択率を測定した。その結果を表３に示す。
【００４０】
【表３】
2011072991.tif 000008
【００４１】
上記の結果より、本発明において硫酸グルタミン酸系イオン液体と硫酸とを反応触媒組成物として、シクロヘキサノンオキシムからアミドを製造した場合、高いケトオキシムの転化率とアミドの選択率が得られることが明らかとなった。中でも、特にイオン液体とブレンステッド酸／ケトオキシムのモル比が5/2〜5/3の範囲内の際、より好ましい転化率と選択率を示すことが判る。又、本発明の触媒組成物の存在下において、ケトオキシムの使用量を増やしても、転化率又は選択率が悪くなる問題は無く、収量を増加させる特長がある。
【００４２】
実施例３と比較例３における反応前と反応後に用いられた反応触媒組成物をそれぞれ使用し、60℃において粘度計によりその粘度の変化を測定し、その実験結果の記録を下記表４に示す。
【００４３】
【表４】
2011072991.tif 000009
【００４４】
上記の結果より、本発明は、イオン液体とブレンステッド酸とを反応触媒組成物として使用し、液相転位反応の条件下において触媒し、ケトオキシムからアミドを製造する際、反応後のイオン液体の粘度を低減し反応触媒活性を向上させることが明らかとなった。又、その際のより好ましい反応温度と反応時間は、それぞれ100〜110℃と0.5〜１時間の範囲内である。
【００４５】
本発明の反応触媒システムは簡単であり、その他の触媒助剤の添加を必要とせず、反応後にイオン液体の粘度を低減させることができ、更に反応活性を高め、ケトオキシムのリアレンジメント反応の転化率とアミドの選択率を向上させ、且つ、副生成物も生成されず、環境にやさしく、エネルギーの節約にも役立ち、大規模な工業生産にも適し、工業上将来性に優れたものである。
【００４６】
上記の実施例は、本発明の原理と効果を例示的に説明するに過ぎず、本発明を限定するものではない。本発明の技術分野に精通する者は、本発明の主旨と範囲を逸脱しない限りにおいて、上記の実施例について修正又は変更を加えることが可能であり、本発明の権利範囲を、特許請求の範囲に記載する。